(57)【要約】【課題】利用者が所望の操作パネルから種々のＯＡ機器を操作できる管理システムを提供することである。【解決手段】利用者情報ＤＢ３２は、操作パネル画像を含んだパネル情報を、利用者ＩＤに対応付けて記憶する。また、設定管理サーバ３１は、ＯＡ機器１から送られた利用者ＩＤを受信し、利用者情報ＤＢ３２を検索し、対応するパネル情報を取得する。そして、取得したパネル情報をＯＡ機器１に送信する。一方、ＯＡ機器１は、ＩＣカード２から読み出した利用者ＩＤを設定管理サーバ３１に送信する。そして、送信した利用者ＩＤに応答して、設定管理サーバ３１から送られるパネル情報を受信する。そして、ＯＡ機器１は、受信されたパネル情報に従って、オペレーションパネル（表示部）に、標準パネル画像と異なる利用者パネル画像を表示する。【選択図】  図１
2004282673.tif 000002
【特許請求の範囲】
【請求項１】
ＯＡ機器と、管理装置とがネットワークを介して接続された管理システムであって、
前記管理装置は、
操作パネル画像を含んだパネル情報を、利用者を識別するための識別情報に対応付けて記憶するパネル情報記憶手段と、
前記ＯＡ機器から送られた識別情報を受信する識別情報受信手段と、
前記識別情報受信手段が受信した識別情報に従って、前記パネル情報記憶手段を検索し、対応するパネル情報を取得するパネル情報取得手段と、
前記パネル情報取得手段が取得したパネル情報を前記ＯＡ機器に送信するパネル情報送信手段と、を備え、
前記ＯＡ機器は、
操作を行う利用者の識別情報を前記管理装置に送信する識別情報送信手段と、前記識別情報送信手段が送信した識別情報に応答して、前記管理装置から送られるパネル情報を受信するパネル情報受信手段と、
前記パネル情報受信手段が受信したパネル情報に従って、自己に設定されたパネル画像と異なるパネル画像を表示する表示手段と、を備える、ことを特徴とする管理システム。
【請求項２】
前記管理装置は、
複数種類のＯＡ機器に対応する複数のパネル情報を予め記憶する機器パネル情報記憶手段と、
前記ＯＡ機器から送られる利用者を識別するための識別情報及び、利用者が所望するパネル情報の登録を要求する要求情報を受信する要求情報受信手段と、
前記要求情報受信手段が受信した識別情報及び要求情報に従って、前記機器パネル情報記憶手段から対応するパネル情報を取得し、識別情報に対応付けられたパネル情報を前記パネル情報記憶手段に登録するパネル情報登録手段と、を更に備え、
前記ＯＡ機器は、
パネル情報の登録を行う利用者の識別情報及び要求情報を前記管理装置に送信する要求情報送信手段、を更に備える、ことを特徴とする請求項１に記載の管理システム。
【請求項３】
ＯＡ機器と、管理装置と、利用者端末とがネットワークを介して接続された管理システムであって、
前管理装置は、
操作パネル画像を含んだパネル情報を、利用者を識別するための識別情報に対応付けて記憶するパネル情報記憶手段と、
前記ＯＡ機器から送られた前記利用者端末を操作する利用者の識別情報を受信する識別情報受信手段と、
前記識別情報受信手段が受信した識別情報に従って、前記パネル情報記憶手段を検索し、対応するパネル情報を取得するパネル情報取得手段と、
前記パネル情報取得手段が取得したパネル情報を利用者端末に送信するパネル情報送信手段と、を備え、
前記利用者端末は、
操作を行う利用者の識別情報を前記ＯＡ機器に供給する識別情報供給手段と、
前記識別情報供給手段が前記ＯＡ機器に供給した識別情報に応答して、前記管理装置から送られるパネル情報を受信するパネル情報受信手段と、
前記パネル情報受信手段が受信したパネル情報に従って、所定のパネル画像を表示する表示手段と、
前記表示手段に表示されたパネル画像の押下に従って、対応する操作情報を前記ＯＡ機器に供給する操作情報供給手段と、を備え、
前記ＯＡ機器は、
前記利用者端末から供給される識別情報を取得する識別情報取得手段と、
前記識別情報取得手段が取得した識別情報を前記管理装置に送信する識別情報送信手段と、
前記利用者端末から供給される操作情報を取得する操作情報取得手段と、
前記操作情報取得手段が取得した操作情報に従って、所定の動作を制御する制御手段と、を備える、ことを特徴とする管理システム。
【請求項４】
前管理装置は、
パネル情報記憶手段が、識別情報に対応付けられた利用者のパネル情報、及び、前記ＯＡ機器に対応付けられた標準のパネル情報を記憶し、
前記パネル情報取得手段が、前記識別情報受信手段が受信した識別情報に従って前記パネル情報記憶手段を検索する際に、パネル情報を検索できた場合に、利用者のパネル情報を取得し、検索できなかった場合に、標準のパネル情報を取得する、ことを特徴とする請求項３に記載の管理システム。
【請求項５】
ＯＡ機器とネットワークを介して接続された管理装置であって、
操作パネル画像を含んだパネル情報を、利用者を識別するための識別情報に対応付けて記憶するパネル情報記憶手段と、
前記ＯＡ機器から送られた識別情報を受信する識別情報受信手段と、
前記識別情報受信手段が受信した識別情報に従って、前記パネル情報記憶手段を検索し、対応するパネル情報を取得するパネル情報取得手段と、
前記ＯＡ機器に設定された標準のパネル画像と異なるパネル画像を表示させるために、前記パネル情報取得手段が取得したパネル情報を前記ＯＡ機器に送信するパネル情報送信手段と、を備えることを特徴とする管理装置。
【請求項６】
複数種類のＯＡ機器に対応する複数のパネル情報を予め記憶する機器パネル情報記憶手段と、
前記ＯＡ機器から送られる利用者を識別するための識別情報及び、利用者が所望するパネル情報の登録を要求する要求情報を受信する要求情報受信手段と、
前記要求情報受信手段が受信した識別情報及び要求情報に従って、前記機器パネル情報記憶手段から対応するパネル情報を取得し、識別情報に対応付けられたパネル情報を前記パネル情報記憶手段に登録するパネル情報登録手段と、を更に備える、ことを特徴とする請求項５に記載の管理装置。
【請求項７】
ＯＡ機器とネットワークを介して接続された管理装置における操作パネル変更方法であって、
ＯＡ機器から送られた利用者を識別するための識別情報を受信する識別情報受信ステップと、
前記識別情報受信ステップにて受信した識別情報に従って、操作パネル画像を含んだパネル情報を識別情報に対応付けて記憶している記憶部を検索し、対応するパネル情報を取得するパネル情報取得ステップと、
ＯＡ機器に設定された標準のパネル画像と異なるパネル画像を表示させるために、前記パネル情報取得ステップにて取得したパネル情報をＯＡ機器に送信するパネル情報送信ステップと、を備えることを特徴とする操作パネル変更方法。
【発明の詳細な説明】
【０００１】
【発明の属する技術分野】
本発明は、管理システム、管理装置および操作パネル変更方法に関する。
【０００２】
【従来の技術】
従来より、複写機やプリンタ等のＯＡ機器が職場等に導入され、事務処理の効率化が図られている。複写機は、例えば、職場内の部署単位にそれぞれ配置され、利用者（社員等）が必要とする書類のコピー等に使用される。また、プリンタは、例えば、部署の作業グループ単位にそれぞれ配置され、利用者が端末（パーソナルコンピュータ等）から出力する文書等を印刷する。
近年では、複写機の機能だけでなく、スキャナ機能やプリンタ機能等を併せ持つ、「複合機」と呼ばれるＯＡ機器も知られている。この複合機は、原稿のコピー等だけでなく、プリンタとして所定の文書等を印刷でき、また、スキャナとして原稿を読み取り画像データを取り込むことができる。
【０００３】
このＯＡ機器には、利用者が操作を行うための操作パネル（オペレーションパネル）が配置されている。この操作パネルは、例えば、操作ボタンの他に、ＯＡ機器の動作状態や設定状況を表示するための表示部（ＬＣＤ等）を備えている。最近では、表示部の表面がタッチパネルとなっており、操作ボタン画像等を表示し、そして、利用者による操作ボタン画像の押下（タッチ）により、操作を受け付けるＯＡ機器も知られている。
このような操作パネルは、表示部に、操作説明のためのガイダンス情報を表示する場合もある。例えば、ＯＡ機器の障害時（紙づまり、トナー切れ等）に、復旧するための手順を示したガイダンス情報が表示される。
そして、このようなガイダンス情報を、利用者の習熟度（精通レベル）に応じて、表示内容を変化させる技術も開示されている（例えば、特許文献１参照）。
【０００４】
【特許文献１】
特開平６−７５７２８号公報  （第３−１９頁、第１図）
【０００５】
【発明が解決しようとする課題】
しかしながら、上述したＯＡ機器の操作パネルは、操作ボタンの配置や表示部の表示内容等が、メーカや機種によって異なったものとなっている。そのため、慣れ親しんだＯＡ機器が、他のメーカ等のＯＡ機器に入れ替えられた場合や、また、出先等で他のメーカ等のＯＡ機器を使用する場合には、不慣れな操作パネルから操作をしなければならず、戸惑う利用者も多かった。
【０００６】
この様な欠点を克服するために、メーカ間等において、操作パネル（表示部の表示内容等）を共通化することも考えられるが、実際には、利用者に応じてそれぞれ好みが異なるため、共通化によるメリットもあまり期待できない。
そのため、利用者が自分に適した操作パネルから、種々のＯＡ機器を操作可能となるシステムの実現が望まれていた。
【０００７】
本発明は、上記実状に鑑みてなされたもので、利用者が所望の操作パネルから種々のＯＡ機器を操作することのできる管理システム、管理装置および操作パネル変更方法を提供することを目的とする。
【０００８】
【課題を解決するための手段】
上記目的を達成するため、本発明の第１の観点に係る管理システムは、
ＯＡ機器と、管理装置とがネットワークを介して接続された管理システムであって、
前記管理装置は、
操作パネル画像を含んだパネル情報を、利用者を識別するための識別情報に対応付けて記憶するパネル情報記憶手段と、
前記ＯＡ機器から送られた識別情報を受信する識別情報受信手段と、
前記識別情報受信手段が受信した識別情報に従って、前記パネル情報記憶手段を検索し、対応するパネル情報を取得するパネル情報取得手段と、
前記パネル情報取得手段が取得したパネル情報を前記ＯＡ機器に送信するパネル情報送信手段と、を備え、
前記ＯＡ機器は、
操作を行う利用者の識別情報を前記管理装置に送信する識別情報送信手段と、
前記識別情報送信手段が送信した識別情報に応答して、前記管理装置から送られるパネル情報を受信するパネル情報受信手段と、
前記パネル情報受信手段が受信したパネル情報に従って、自己に設定されたパネル画像と異なるパネル画像を表示する表示手段と、を備える、ことを特徴とする。
【０００９】
この発明によれば、管理装置は、パネル情報記憶手段が、操作パネル画像を含んだパネル情報を、利用者を識別するための識別情報（例えば、利用者ＩＤ）に対応付けて記憶し、識別情報受信手段が、ＯＡ機器から送られた識別情報を受信する。また、パネル情報取得手段が、受信された識別情報に従って、パネル情報記憶手段を検索し、対応するパネル情報を取得する。そして、パネル情報送信手段が、取得されたパネル情報をＯＡ機器に送信する。一方、ＯＡ機器は、識別情報送信手段が、操作を行う利用者の識別情報を管理装置に送信する。また、パネル情報受信手段が、送信された識別情報に応答して、管理装置から送られるパネル情報を受信する。そして、表示手段が、受信されたパネル情報に従って、自己に設定されたパネル画像と異なるパネル画像を表示する。
この結果、利用者が所望の操作パネルから種々のＯＡ機器を操作することができる。
【００１０】
前記管理装置は、
複数種類のＯＡ機器に対応する複数のパネル情報を予め記憶する機器パネル情報記憶手段と、
前記ＯＡ機器から送られる利用者を識別するための識別情報及び、利用者が所望するパネル情報の登録を要求する要求情報を受信する要求情報受信手段と、
前記要求情報受信手段が受信した識別情報及び要求情報に従って、前記機器パネル情報記憶手段から対応するパネル情報を取得し、識別情報に対応付けられたパネル情報を前記パネル情報記憶手段に登録するパネル情報登録手段と、を更に備え、
前記ＯＡ機器は、
パネル情報の登録を行う利用者の識別情報及び要求情報を前記管理装置に送信する要求情報送信手段、を更に備えてもよい。
【００１１】
上記目的を達成するため、本発明の第２の観点に係る管理システムは、
ＯＡ機器と、管理装置と、利用者端末とがネットワークを介して接続された管理システムであって、
前管理装置は、
操作パネル画像を含んだパネル情報を、利用者を識別するための識別情報に対応付けて記憶するパネル情報記憶手段と、
前記ＯＡ機器から送られた前記利用者端末を操作する利用者の識別情報を受信する識別情報受信手段と、
前記識別情報受信手段が受信した識別情報に従って、前記パネル情報記憶手段を検索し、対応するパネル情報を取得するパネル情報取得手段と、
前記パネル情報取得手段が取得したパネル情報を利用者端末に送信するパネル情報送信手段と、を備え、
前記利用者端末は、
操作を行う利用者の識別情報を前記ＯＡ機器に供給する識別情報供給手段と、前記識別情報供給手段が前記ＯＡ機器に供給した識別情報に応答して、前記管理装置から送られるパネル情報を受信するパネル情報受信手段と、
前記パネル情報受信手段が受信したパネル情報に従って、所定のパネル画像を表示する表示手段と、
前記表示手段に表示されたパネル画像の押下に従って、対応する操作情報を前記ＯＡ機器に供給する操作情報供給手段と、を備え、
前記ＯＡ機器は、
前記利用者端末から供給される識別情報を取得する識別情報取得手段と、
前記識別情報取得手段が取得した識別情報を前記管理装置に送信する識別情報送信手段と、
前記利用者端末から供給される操作情報を取得する操作情報取得手段と、
前記操作情報取得手段が取得した操作情報に従って、所定の動作を制御する制御手段と、を備える、ことを特徴とする。
【００１２】
この発明によれば、管理装置は、パネル情報記憶手段が、操作パネル画像を含んだパネル情報を、利用者を識別するための識別情報（例えば、利用者ＩＤ等）に対応付けて記憶し、識別情報受信手段が、ＯＡ機器から送られた利用者端末を操作する利用者の識別情報を受信する。また、パネル情報取得手段が、受信された識別情報に従って、パネル情報記憶手段を検索し、対応するパネル情報を取得する。そして、パネル情報送信手段が、取得されたパネル情報を利用者端末に送信する。一方、利用者端末は、識別情報供給手段が、操作を行う利用者の識別情報をＯＡ機器に供給し、パネル情報受信手段が、供給した識別情報に応答して、管理装置から送られるパネル情報を受信する。また、表示手段が、受信されたパネル情報に従って、所定のパネル画像を表示する。そして、操作情報供給手段が、表示されたパネル画像の押下に従って、対応する操作情報をＯＡ機器に供給する、更に、ＯＡ機器は、識別情報取得手段が、利用者端末から供給される識別情報を取得し、識別情報送信手段が、取得された識別情報を管理装置に送信する。また、操作情報取得手段が、利用者端末から供給される操作情報を取得し、そして、制御手段が、取得された操作情報に従って、所定の動作を制御する。
この結果、利用者が所望の操作パネルから種々のＯＡ機器を操作することができる。
【００１３】
前管理装置は、
パネル情報記憶手段が、識別情報に対応付けられた利用者のパネル情報、及び、前記ＯＡ機器に対応付けられた標準のパネル情報を記憶し、
前記パネル情報取得手段が、前記識別情報受信手段が受信した識別情報に従って前記パネル情報記憶手段を検索する際に、パネル情報を検索できた場合に、利用者のパネル情報を取得し、検索できなかった場合に、標準のパネル情報を取得してもよい。
【００１４】
上記目的を達成するため、本発明の第３の観点に係る管理装置は、
ＯＡ機器とネットワークを介して接続された管理装置であって、
操作パネル画像を含んだパネル情報を、利用者を識別するための識別情報に対応付けて記憶するパネル情報記憶手段と、
前記ＯＡ機器から送られた識別情報を受信する識別情報受信手段と、
前記識別情報受信手段が受信した識別情報に従って、前記パネル情報記憶手段を検索し、対応するパネル情報を取得するパネル情報取得手段と、
前記ＯＡ機器に設定された標準のパネル画像と異なるパネル画像を表示させるために、前記パネル情報取得手段が取得したパネル情報を前記ＯＡ機器に送信するパネル情報送信手段と、
を備えることを特徴とする。
【００１５】
この発明によれば、パネル情報記憶手段は、操作パネル画像を含んだパネル情報を、利用者を識別するための識別情報（例えば、利用者ＩＤ）に対応付けて記憶する。識別情報受信手段は、ＯＡ機器から送られた識別情報を受信する。パネル情報取得手段は、識別情報受信手段が受信した識別情報に従って、パネル情報記憶手段を検索し、対応するパネル情報を取得する。そして、パネル情報送信手段は、ＯＡ機器に設定された標準のパネル画像と異なるパネル画像を表示させるために、パネル情報取得手段が取得したパネル情報をＯＡ機器に送信する。
この結果、利用者が所望の操作パネルから種々のＯＡ機器を操作することができる。
【００１６】
上記の管理装置は、複数種類のＯＡ機器に対応する複数のパネル情報を予め記憶する機器パネル情報記憶手段と、
前記ＯＡ機器から送られる利用者を識別するための識別情報及び、利用者が所望するパネル情報の登録を要求する要求情報を受信する要求情報受信手段と、
前記要求情報受信手段が受信した識別情報及び要求情報に従って、前記機器パネル情報記憶手段から対応するパネル情報を取得し、識別情報に対応付けられたパネル情報を前記パネル情報記憶手段に登録するパネル情報登録手段と、を更に備えてもよい。
【００１７】
上記目的を達成するため、本発明の第４の観点に係る操作パネル変更方法は、ＯＡ機器とネットワークを介して接続された管理装置における操作パネル変更方法であって、
ＯＡ機器から送られた利用者を識別するための識別情報を受信する識別情報受信ステップと、
前記識別情報受信ステップにて受信した識別情報に従って、操作パネル画像を含んだパネル情報を識別情報に対応付けて記憶している記憶部を検索し、対応するパネル情報を取得するパネル情報取得ステップと、
ＯＡ機器に設定された標準のパネル画像と異なるパネル画像を表示させるために、前記パネル情報取得ステップにて取得したパネル情報をＯＡ機器に送信するパネル情報送信ステップと、
を備えることを特徴とする。
【００１８】
この発明によれば、識別情報受信ステップは、ＯＡ機器から送られた利用者を識別するための識別情報（例えば、利用者ＩＤ等）を受信する。パネル情報取得ステップは、識別情報受信ステップにて受信した識別情報に従って、操作パネル画像を含んだパネル情報を識別情報に対応付けて記憶している記憶部を検索し、対応するパネル情報を取得する。そして、パネル情報送信ステップは、ＯＡ機器に設定された標準のパネル画像と異なるパネル画像を表示させるために、パネル情報取得ステップにて取得したパネル情報をＯＡ機器に送信する。
この結果、利用者が所望の操作パネルから種々のＯＡ機器を操作することができる。
【００１９】
【発明の実施の形態】
本発明の実施の形態にかかる管理システムについて、以下図面を参照して説明する。
【００２０】
図１は、この発明の第１の実施の形態に適用される管理システムの構成の一例を示す模式図である。図示するように、このシステムは、複数のＯＡ機器１と、管理装置３とを含んで構成される。
なお、ＯＡ機器１は、利用者（社員等）が個別に所持するＩＣカード２が装着可能となっている。また、ネットワーク９は、ＬＡＮ（Ｌｏｃａｌ  Ａｒｅａ  Ｎｅｔｗｏｒｋ）やインターネット等の通信網からなる。
【００２１】
ＯＡ機器１は、例えば、複合機やプリンタ等からなり、利用者に操作される。具体的にＯＡ機器１は、図２に示すように、ＩＣカードリーダ１１と、オペレーションパネル１２と、スキャンユニット１３と、制御部１４と、印刷ユニット１５と、印刷データ蓄積部１６と、パネル情報記憶部１７と、通信ユニット１８と、を含んで構成される。
【００２２】
ＩＣカードリーダ１１は、利用者に装填されたＩＣカード２から利用者に関する情報を読み出して、制御部１４に供給する。例えば、ＩＣカードリーダ１１は、ＩＣカード２から利用者ＩＤ等を読み出して、制御部１４に供給する。
なお、ＩＣカードリーダ１１は、非接触に、ＩＣカード２から利用者に関する情報を読み出してもよい。
また、ＩＣカードリーダ１１は、ＩＣカード２に所定の情報（例えば、操作履歴や、使用履歴等の情報）を書き込めるＩＣカードライタの機能を有していてもよい。
【００２３】
オペレーションパネル１２は、例えば、ＯＡ機器１の前面上部等に配置され、利用者からの操作指示を入力すると共に、ＯＡ機器１の動作状態や設定状況等を表示する。
例えば、オペレーションパネル１２は、図３に示すように、複数の操作ボタン等と、表示部ｄとを備える。
この表示部ｄには、パネル情報記憶部１７に記憶された後述する標準パネル画像、若しくは、利用者パネル画像が表示される。
なお、表示部ｄは、表面がタッチパネルとなっており、利用者の指等により押下（タッチ）されると、その座標（表示部ｄ上の座標）等を検出可能となっている。
【００２４】
スキャンユニット１３は、所定の原稿台に静置された書類等をＣＣＤ（Ｃｈａｒｇｅ  Ｃｏｕｐｌｅｄ  Ｄｅｖｉｃｅ）センサ等により走査し、読み取った書類等の画像データを生成する。
スキャンユニット１３は、生成した画像データを印刷データ蓄積部１６に供給し、若しくは、直接、印刷ユニット１５に供給する。
【００２５】
制御部１４は、ＣＰＵ（Ｃｅｎｔｒａｌ  Ｐｒｏｃｅｓｓｉｎｇ  Ｕｎｉｔ）及び、周辺ＬＳＩ（Ｌａｒｇｅ  Ｓｃａｌｅ  Ｉｎｔｅｇｒａｔｉｏｎ）等からなり、ＯＡ機器１全体を制御する。
具体的に制御部１４は、図示せぬ不揮発性メモリ等に記憶されたプログラムに従って、後述する登録要求処理を実行し、利用者が選んだ所望のパネル情報を管理装置３に送信する。また、後述するパネル情報受信処理を実行し、登録されたパネル情報を管理装置３から受信し、利用者専用のパネル画像（利用者パネル画像）をオペレーションパネル１２（表示部ｄ）に表示させる。
【００２６】
印刷ユニット１５は、スキャンユニット１３から供給された画像データ、若しくは、印刷データ蓄積部１６に蓄積された印刷データ等に従って、所定の用紙に文字や図形を印刷する。
例えば、印刷ユニット１５は、感光体ドラム等を使用して、トナーを所定の用紙に転写させ、定着させるユニットであり、画像データ等に応じた文字や図形を印刷する。
【００２７】
印刷データ蓄積部１６は、通信ユニット１８を通じてネットワーク９上の図示せぬパーソナルコンピュータ等から送信された印刷データを一時的に記憶する。また、印刷データ蓄積部１６は、スキャンユニット１３から供給された画像データも記憶する。
【００２８】
パネル情報記憶部１７は、標準のパネル情報、及び、利用者専用のパネル情報を記憶する。
標準のパネル情報は、予めＯＡ機器１に設定されているデフォルトのパネル情報であり、標準パネル画像とその定義情報とからなる。
なお、標準パネル画像は、例えば、図４（ａ）に示すように、複数の操作ボタン画像が適宜配置された画像であり、オペレーションパネル１２の表示部ｄに表示される。また、定義情報は、標準パネル画像に対応して、表示部ｄ上における各操作ボタン画像の座標や、操作ボタン画像が押下（タッチ）された際に生成する制御コード等の情報からなる。
【００２９】
一方、利用者専用のパネル情報は、利用者が任意に登録したパネル情報であり（利用者情報ＤＢ３２に登録されており）、利用者の操作時に、管理装置３から送られるパネル情報とその定義情報とからなる。
利用者パネル画像は、例えば、図４（ｂ）に示すように、図４（ａ）に示す標準パネル画像と異なった画像であり、同様にオペレーションパネル１２の表示部ｄに表示される。
【００３０】
通信ユニット１８は、ネットワーク９を介して管理装置３との間で所定の情報を送受信する。
例えば、通信ユニット１８は、管理装置３に向けて利用者ＩＤ等を送信し、また、管理装置３から送られたパネル情報等を受信する。
【００３１】
ＩＣ（Ｉｎｔｅｇｒａｔｅｄ  Ｃｉｒｃｕｉｔ）カード２は、ＩＣチップが埋設されたカード型の記憶媒体であり、各利用者にそれぞれ配布される。ＩＣカード２には、利用者ＩＤ（利用者を識別する情報）を含む利用者に関する情報を記憶している。そして、ＯＡ機器１に装着されると、利用者ＩＤ等が読み出される。
なお、ＩＣカード２は、ＯＡ機器１との間で、非接触に情報の送受信を行ってもよい。
【００３２】
図１に戻って、管理装置３は、設定管理サーバ３１と、利用者情報ＤＢ３２とから構成される。
設定管理サーバ３１は、演算処理部、メモリ、及び、通信ユニット等を備えた所定のサーバ機器からなる。
【００３３】
設定管理サーバ３１は、通信ユニット等を通じてネットワーク９と接続されている。そして、ネットワーク９を介してＯＡ機器１との間で所定の情報を送受信する。
具体的に、設定管理サーバ３１は、後述するパネル情報登録処理を実行し、利用者が任意に選んだパネル情報を利用者情報ＤＢ３２に登録する。また、後述するパネル情報送信処理を実行し、利用者情報ＤＢ３２に登録されているパネル情報をＯＡ機器１に送信する
【００３４】
利用者情報ＤＢ３２は、ハードディスク等からなり、複数のパネル情報、及び、登録パネル情報等を記憶する。
具体的に、複数のパネル情報は、図５（ａ）に示すように、複数種類のＯＡ機器１に対応したパネル画像と、それらの定義情報からなる。
また、登録パネル情報は、図５（ｂ）に示すように、利用者ＩＤに対応付けられたパネル情報を規定する情報からなる。
【００３５】
以下、この発明の第１の実施の形態にかかる管理システムの動作について、図面を参照して説明する。
最初に、ＯＡ機器１を使用する利用者が、所望のパネル情報を管理装置３（利用者情報ＤＢ３２）に登録する際の動作について、図６を参照して説明する。図６は、ＯＡ機器１が実行する登録要求処理、及び、設定管理サーバ３１（管理装置３）が実行するパネル情報登録処理の一例を示すフローチャートである。
【００３６】
まず、ＩＣカード２を所持する利用者は、任意のＯＡ機器１の使用を試みる。
つまり、ＯＡ機器１は、利用者によりＩＣカード２が装着されるまで後続の処理の実行を待機する（ステップＳ１１）。
そして、ＩＣカード２が装着されると、ＯＡ機器１は、ＩＣカード２から利用者ＩＤ等を読み出し、管理装置３に送信する（ステップＳ１２）。
【００３７】
一方、設定管理サーバ３１（管理装置３）は、ＯＡ機器１から送られた利用者ＩＤ等を受信すると、受信した利用者ＩＤ等の正当性を検証する（ステップＳ２１）。
そして、検証の結果、利用者の認証が確認されたか否かを判別する（ステップＳ２２）。
【００３８】
設定管理サーバ３１は、認証が確認されなかったと判別した場合、認証に失敗したことを示す認証ＮＧ（ＮＧデータ）を、ＯＡ機器１に返信し（ステップＳ２３）、そのままパネル情報登録処理を終える。
また、認証が確認された場合に、設定管理サーバ３１は、認証に成功したことを示す認証ＯＫ（ＯＫデータ）を、ＯＡ機器１に返信する（ステップＳ２４）。
そして、ＯＡ機器１から送られ得るパネル要求情報の受信を待機する（ステップＳ２５）。
【００３９】
ＯＡ機器１は、認証ＯＫが返信されたか否かを判別する（ステップＳ１３）。
ＯＡ機器１は、認証ＯＫを受信できなかった場合（認証ＮＧを受信した場合）、登録要求処理を終える。その際、認証されなかった旨のメッセージを表示してもよい。
また、認証ＯＫを受信できた場合に、ＯＡ機器１は、使用可能状態に遷移し、利用者の登録要求操作に従って、パネル要求情報を管理装置３に送信する（ステップＳ１４）。
例えば、ＯＡ機器１は、登録の要求操作に従って、メーカ一覧等を表示し、利用者に任意のメーカを選ばせる。そして、メーカを指定したパネル要求情報を設定管理サーバ３１に送信する。
【００４０】
一方、設定管理サーバ３１は、パネル要求情報を受信すると、受信したパネル要求情報に従って、１つのパネル情報をＯＡ機器１に送信する（ステップＳ２６）。
例えば、パネル要求情報にメーカが指定されている場合に、設定管理サーバ３１は、利用者情報ＤＢ３２を検索し、指定されたメーカに対応するパネル情報の中から所定の順番に従って１つのパネル情報を選択し、ＯＡ機器１に送信する。つまり、図５（ａ）に示すような複数のパネル画像から、指定されたメーカのパネル画像（より詳細には、定義情報も含めたパネル情報）を１つ選択して、ＯＡ機器１に送信する。
そして、ＯＡ機器１から送られ得る登録要求情報の受信を待機する（ステップＳ２７）。
なお、ＯＡ機器１から登録要求情報が送られずに、再度、パネル要求情報が送られた場合に、設定管理サーバ３１は、上述のステップＳ２５に処理を戻し、次のパネル情報をＯＡ機器１に送信する。
【００４１】
ＯＡ機器１は、管理装置３から送られたパネル情報を受信すると、パネル情報に従って、オペレーションパネル１２（表示部ｄ）にパネル画像を表示する（ステップＳ１５）。
そして、ＯＡ機器１は、利用者により、次の画像（次のパネル情報）が要求されたか否かを判別する（ステップＳ１６）。
ＯＡ機器１は、次の画像が要求されたと判別した場合に、上述したステップＳ１４に処理を戻す。つまり、再度、パネル要求情報を管理装置３に送信し、次の画像を表示部ｄに表示する。
【００４２】
また、次の画像が要求されずに、利用者により登録が指示された場合に、ＯＡ機器１は、登録要求情報を管理装置３に送信する（ステップＳ１８）。
つまり、表示部ｄに現在表示しているパネル画像（より詳細にはパネル情報）の登録を設定管理サーバ３１に要求する。
【００４３】
一方、設定管理サーバ３１は、登録要求情報を受信すると、受信した登録要求情報に従って、利用者情報ＤＢ３２に、要求されたパネル情報を登録する（ステップＳ２８）。
つまり、設定管理サーバ３１は、利用者ＩＤに対応付けたパネル情報を、図５（ｂ）に示す登録パネル情報に追加する。
【００４４】
このように、図６を参照して説明した各処理により、利用者により選択された任意のパネル情報が、管理装置３（利用者情報ＤＢ３２）に登録される。
【００４５】
次に、利用者により登録されたパネル情報（パネル画像）が、利用者が操作しようとするＯＡ機器１に表示される際の動作について、図７を参照して説明する。図７は、ＯＡ機器１が実行するパネル情報受信処理、及び、設定管理サーバ３１（管理装置３）が実行するパネル情報送信処理の一例を示すフローチャートである。
【００４６】
まず、ＩＣカード２を所持する利用者は、任意のＯＡ機器１の使用を試みる。
つまり、ＯＡ機器１は、利用者によりＩＣカード２が装着されるまで後続の処理の実行を待機する（ステップＳ３１）。
そして、ＩＣカード２が装着されると、ＯＡ機器１は、ＩＣカード２から利用者ＩＤ等を読み出し、管理装置３に送信する（ステップＳ３２）。
【００４７】
一方、設定管理サーバ３１（管理装置３）は、ＯＡ機器１から送られた利用者ＩＤ等を受信すると、受信した利用者ＩＤ等を認証する（ステップＳ４１）。
そして、利用者ＩＤ等が認証されると、設定管理サーバ３１は、利用者情報ＤＢ３２から、登録済みのパネル情報を検索する（ステップＳ４２）。
つまり、設定管理サーバ３１は、図５（ｂ）に示す登録パネル情報を利用者ＩＤをキーにして検索する。
そして、利用者ＩＤに対応するパネル情報が登録済みであるか否かを判別する（ステップＳ４３）。
【００４８】
設定管理サーバ３１は、パネル情報が登録されていないと判別すると、未登録を示す情報をＯＡ機器１に送信する（ステップＳ４４）。
また、パネル情報が登録済みであると判別した場合に、設定管理サーバ３１は、対応するパネル情報を読み出し、ＯＡ機器１に送信する（ステップＳ４５）。
つまり、設定管理サーバ３１は、図５（ａ）に示す複数のパネル画像（より詳細には、定義情報も含めたパネル情報）から、対応するパネル画像を読み出して、ＯＡ機器１に送信する。
【００４９】
ＯＡ機器１は、管理装置３からパネル情報を受信したか否かを判別する（ステップＳ３３）。
ＯＡ機器１は、管理装置３からパネル情報を受信すると、受信したパネル情報をパネル情報記憶部１７に記憶させ（ステップＳ３４）、このパネル情報に従って、利用者パネル画像をオペレーションパネル１２（表示部ｄ）に表示する（ステップＳ３５）。
例えば、ＯＡ機器１は、パネル情報記憶部１７に記憶した図４（ｂ）に示すような利用者パネル画像を表示部ｄに表示する。つまり、利用者専用のパネル画像が表示部ｄに表示される。
【００５０】
また、パネル情報を受信していない（未登録を示す情報を受信した）場合に、ＯＡ機器１は、標準パネル画像をオペレーションパネル１２（表示部ｄ）に表示する（ステップＳ３６）。
例えば、ＯＡ機器１は、パネル情報記憶部１７に記憶されている図４（ａ）に示すような標準パネル画像を表示部ｄに表示する。つまり、デフォルトのパネル画像が表示部ｄに表示される。
【００５１】
そして、利用者は、表示部ｄに表示された利用者パネル画像（若しくは、標準パネル画像）の所定の操作ボタン画像を押下して、所望の動作をＯＡ機器１に指示する。
【００５２】
このように、図７を参照して説明した各処理により、管理装置３（利用者情報ＤＢ３２）に登録されているパネル情報がＯＡ機器１に送信され、パネル画像がオペレーションパネル（表示部ｄ）に使用可能に表示される。
このため、不慣れなＯＡ機器１であっても、そのＯＡ機器１に、使い慣れたパネル画像が表示されるため、利用者は、戸惑うことなく、そのＯＡ機器１を使用することができる。
【００５３】
上記の実施の形態では、登録されたパネル情報を管理装置３からＯＡ機器１に送信し、ＯＡ機器１のオペレーションパネル（表示部ｄ）にパネル画像を表示する場合について説明した。しかしながら、ＯＡ機器１以外の機器に、パネル情報を送信し、その機器にパネル画像を表示するようにしてもよい。
以下、他の機器にパネル画像を表示する管理システムについて、図８を参照して説明する。
【００５４】
図８は、この発明の第２の実施の形態に適用される管理システムの構成の一例を示す模式図である。図示するように、このシステムは、複数のＯＡ機器１と、管理装置３と利用者端末４とを含んで構成される。
ここで、ＯＡ機器１の構成は、上述した第１の実施の形態とほぼ同様であるが、図２に示す構成の他に、利用者端末４と無線通信を行うための無線ユニットを更に備えているものとする。
また、管理装置３の構成も、上述した第１の実施の形態とほぼ同様であるが、利用者情報ＤＢ３２には、各ＯＡ機器１に対応した標準のパネル情報（標準パネル画像とその定義情報）が記憶されているものとする。
【００５５】
一方、利用者端末４は、無線通信機能を備えた汎用の携帯型端末（ＰＤＡや携帯電話等）からなり、ＯＡ機器１及び、管理装置３と無線通信を行う。なお、利用者端末４と管理装置３との間は、図示せぬ所定の無線アクセスポイントを経由し、ネットワーク９とを介して接続されるものとする。
また、利用者端末４には、ＩＤカード２と同等の利用者ＩＤ等を含んだ利用者に関する情報が、予め記憶されている。
更に、利用者端末４の表示部は、表面がタッチパネルとなっており、利用者の指等により押下（タッチ）された座標等を検出可能となっている。
【００５６】
以下、この発明の第２の実施の形態にかかる管理システムの動作について、図面を参照して説明する。
一例として、利用者により登録されたパネル情報（パネル画像）が、利用者端末４にて表示される際の動作について、図９を参照して説明する。図９は、利用者端末４が実行するリモート操作処理、ＯＡ機器１が実行する操作情報受信処理、及び、設定管理サーバ３１（管理装置３）が実行するパネル情報送信処理の一例を示すフローチャートである。
なお、利用者情報ＤＢ３２には、上述の図６に示すような処理により、任意の利用者が、パネル情報を登録済みであるものとする。
【００５７】
まず、利用者端末４を所持する利用者は、近傍に配置された（利用者端末４と無線通信が可能な）任意のＯＡ機器１の使用を試みる。
つまり、利用者端末４は、利用者の操作に従って、端末情報及び、利用者ＩＤ等をＯＡ機器１に送信する（ステップＳ５１）。なお、ＯＡ機器１に送信される端末情報には、管理装置３から利用者端末４に向けてアクセス可能なアドレス情報（ＩＰアドレス等）が含まれている。
そして、利用者端末４は、管理装置３から送られるパネル情報（標準のパネル情報、若しくは、利用者専用のパネル情報）を受信するまで、後続処理の実行を待機する（ステップＳ５２）。
【００５８】
また、ＯＡ機器１は、利用者端末４との無線通信確立後、利用者端末４からＩＤ情報等が送信されるまで後続の処理の実行を待機する（ステップＳ６１）。
そして、利用者端末４から端末情報及びＩＤ情報等が送られると、受信した端末情報及び、利用者ＩＤ等を管理装置３に送信する（ステップＳ６２）。
その後、利用者端末４は、利用者端末４から送られる操作情報を受信するまで、後続処理の実行を待機する（ステップＳ５２）。
【００５９】
また、設定管理サーバ３１（管理装置３）は、ＯＡ機器１から送られた端末情報及び利用者ＩＤ等を受信すると、受信した利用者ＩＤ等を認証する（ステップＳ７１）。
そして、利用者ＩＤ等が認証されると、設定管理サーバ３１は、利用者情報ＤＢ３２から、登録済みのパネル情報を検索する（ステップＳ７２）。
そして、利用者ＩＤに対応するパネル情報が登録済みであるか否かを判別する（ステップＳ７３）。
【００６０】
設定管理サーバ３１は、パネル情報が登録されていないと判別すると、ＯＡ機器１に対応する標準のパネル情報を利用者端末４に送信する（ステップＳ７４）。つまり、端末情報に含まれるアドレス情報を使用して、設定管理サーバ３１は、ＯＡ機器１にデフォルトのパネル情報を利用者端末４に送信する。
また、パネル情報が登録済みであると判別した場合に、設定管理サーバ３１は、対応するパネル情報を読み出し、利用者端末４に送信する（ステップＳ７５）。つまり、設定管理サーバ３１は、利用者専用のパネル情報を利用者端末４に送信する。
【００６１】
また、利用者端末４は、管理装置３から送られたパネル情報を受信すると、受信したパネル情報を自己の表示部に表示する（ステップＳ５３）。
例えば、登録済みのパネル情報を受信した場合に、利用者端末４は、図１０に示すような利用者専用のパネル画像を表示部に表示する。
【００６２】
そして、利用者端末４は、利用者による表示部の押下に従って、所定の操作情報をＯＡ機器１に送信する（ステップＳ５４）。
つまり、表示部に表示された利用者パネル画像（若しくは、標準パネル画像）の所定の操作ボタン画像が押下されると、パネル情報の定義情報に従って、操作情報（制御コード等）をＯＡ機器１に向けて送信する。
【００６３】
また、ＯＡ機器１は、利用者端末４から送られた操作情報を受信すると、受信した操作情報に従った動作を実行する（ステップＳ６４）。
例えば、ＯＡ機器１は、コピー動作や、印刷データ蓄積部１６に蓄積している印刷データ（画像データも含む）の印刷動作等を行う。
【００６４】
このように、図９を参照して説明した各処理により、管理装置３（利用者情報ＤＢ３２）に登録されているパネル情報が利用者端末４に送信され、パネル画像がオペレーションパネル（表示部ｄ）に使用可能に表示される。
このため、不慣れなＯＡ機器１であっても、その利用者端末４に、使い慣れたパネル画像が表示されるため、利用者は、戸惑うことなく、そのＯＡ機器１を使用することができる。
【００６５】
上記の実施の形態では、管理装置３（利用者情報ＤＢ３２）に登録されているパネル情報（パネル画像）が、ＯＡ機器１や利用者端末４にそのまま表示される場合について説明した。しかしながら、利用者の操作履歴等に従って、パネル画像を適宜変更してＯＡ機器１や利用者端末４に表示できるようにしてもよい。
【００６６】
【発明の効果】
以上説明したように、本発明によれば、利用者が所望の操作パネルから種々のＯＡ機器を操作することができる。
【図面の簡単な説明】
【図１】本発明の第１の実施の形態に係る管理システムの構成の一例を示す模式図である。
【図２】ＯＡ機器の構成の一例を示すブロック図である。
【図３】オペレーションパネルの一例を示す模式図である。
【図４】パネル情報記憶部に記憶される情報の一例を示す模式図であって，（ａ）が標準パネル画像であり、（ｂ）が利用者パネル画像である。
【図５】利用者情報ＤＢに記憶される情報の一例を示す模式図であって、（ａ）が複数のパネル画像であり、（ｂ）が登録パネル情報である。
【図６】本発明の第１の実施の形態に係る管理システムおけるパネル情報登録時の動作を説明するためのフローチャートである。
【図７】本発明の第１の実施の形態に係る管理システムおけるパネル情報の送受信時の動作を説明するためのフローチャートである。
【図８】本発明の第２の実施の形態に係る管理システムの一例を示す模式図である。
【図９】本発明の第２の実施の形態に係る管理システムおけるパネル情報の送受信時の動作を説明するためのフローチャートである。
【図１０】利用者端末に表示されるパネル画像の一例を示す模式図である。
【符号の説明】
１    ＯＡ機器
１１  ＩＣカードリーダ
１２  オペレーションパネル
１３  スキャンユニット
１４  制御部
１５  印刷ユニット
１６  印刷データ蓄積部
１７  パネル情報記憶部
１８  通信ユニット
２    ＩＣカード
３    管理装置
３１  設定管理サーバ
３２  利用者情報ＤＢ
４    利用者端末
９    ネットワーク
【図１】
2004282673.tif 000003
【図２】
2004282673.tif 000004
【図３】
2004282673.tif 000005
【図４】
2004282673.tif 000006
【図５】
2004282673.tif 000007
【図６】
2004282673.tif 000008
【図７】
2004282673.tif 000009
【図８】
2004282673.tif 000010
【図９】
2004282673.tif 000011
【図１０】
2004282673.tif 000012